(57)【要約】【課題】図柄表示装置の表示等といった消費時間が一定の演出と、遊技球を用いた機械的な役物の動作等といった消費時間が不定な演出とを同期させるように構成した遊技機を提供する。【解決手段】パチンコ機１は、遊技球を役物内部に取り込むセンター役物２３と、該遊技球を用いて機械的な演出動作をするクルーン部４３とを備える。そして、演出制御手段７１が、図柄表示装置３２での大当たり決定に係る表示開始を契機として、クルーン部４３に遊技球を導入し、該クルーン部４３を演出動作させる。更に、演出制御手段７１は、上記大当たり決定に係る表示終了を契機として、クルーン部４３を蓋部材４１で覆い隠し、該クルーン部４３の演出動作を解除する（すなわち、遊技者から視認できない状態にする）。これにより、クルーン部４３の演出動作が、図柄表示装置３２の表示と同期して急速に終了し、新奇な演出を提供できる。【選択図】図３
2008188128.tif 000002
【特許請求の範囲】
【請求項１】
始動口と、該始動口への入球を契機として特別遊技状態に移行するか否かに係る大当たり情報を決定する情報決定手段と、該情報決定手段により決定された大当たり情報に基づく結果を演出動作する結果演出手段と、を備え、前記始動口が配置された遊技領域に遊技球を打ち出して遊技してなる遊技機において、
前記始動口に入球した遊技球を役物内部に取り込む入球役物と、
前記入球役物内に配置され、該入球役物に取り込まれた遊技球を用いて前記情報決定手段により決定された大当たり情報に基づく結果を機械的に演出動作する演出役物と、
前記演出役物の演出動作を制御する演出制御手段と、を備え、
前記演出制御手段は、前記大当たり情報に基づく契機にて、前記演出役物の演出動作の開始及び終了を前記結果演出手段の演出動作の開始及び終了に整合してなる、
ことを特徴とする遊技機。
【請求項２】
前記結果演出手段は、前記大当たり情報に基づく結果を図柄の変動パターンで演出表示する図柄表示部であり、
前記演出制御手段は、前記図柄表示部における演出表示の表示開始を契機として前記演出役物の演出動作を開始し、該演出表示の表示終了を契機として該演出役物の演出動作を終了する、
請求項１に記載の遊技機。
【請求項３】
前記大当たり情報は、前記演出役物を演出動作させる時期情報を含み、
前記情報決定手段は、前記結果演出手段における演出動作の態様が異なる複数種類の大当たり情報を決定し得るとともに、前記時期情報を該複数種類の大当たり情報に応じてそれぞれに決定してなる、
請求項１に記載の遊技機。
【請求項４】
前記演出役物は、遊技球を導入する貫通孔を有した円形クルーン部材である、
請求項１ないし３に記載の遊技機。
【請求項５】
前記演出制御手段は、前記演出役物を覆い隠すカバー部材を有し、該演出役物を該カバー部材で覆い隠すことで該演出役物の演出動作を終了してなる、
請求項１ないし４に記載の遊技機。
【請求項６】
前記演出制御手段は、前記円形クルーン部材上の遊技球を前記貫通孔に磁力で導く磁気部材を有し、該磁気部材により該貫通孔に遊技球を強制的に導入することで該円形クルーン部材の演出動作を終了してなる、
請求項４に記載の遊技機。
【発明の詳細な説明】
【技術分野】
【０００１】
本発明は、パチンコ機等の遊技機に係り、特に、大当たり等の特別遊技状態に移行する際の抽選結果の表示を行う遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている（特許文献１参照）。
【０００３】
このようなパチンコ機では、一般入賞口に入球した際にそれに対応した個数の遊技球が払い出され、また第１種始動口（始動チャッカー）に入球した際にはこれに基づいて大当たり抽選（つまり、特別遊技状態に移行するか否かの抽選）が行われると共に所定数の遊技球が払い出され、当該抽選の結果に応じて、遊技盤の中央部分に設けられた液晶等の図柄表示装置の画面上で所定の演出が行われる。大当たりの発生時には、アタッカーと呼ばれる大入賞口が開放し、入球に対応して多量の遊技球が払い出される状態となる。
【０００４】
また、上述したような従来のパチンコ機においては、遊技領域の中央部分にセンター飾りを備え、このセンター飾り内に、図柄表示装置の表示内容に連動するように演出動作をする可動体を備えたものが存在する（特許文献２参照）。
【０００５】
【特許文献１】特開平０７−２８４５５９号公報
【特許文献２】特開２００１−３２７６７２号公報
【発明の開示】
【発明が解決しようとする課題】
【０００６】
ところで、上記特許文献２のような従来の遊技機では、センター飾りに設けられた可動体が、図柄表示装置の表示内容と連動するように演出動作されるなど、大当たり抽選に係る演出動作をするものは見受けられるが、該大当たり抽選の結果表示はそのような可動体とではなく図柄表示装置単体にて行われるのが通常となっている。
【０００７】
ここで、仮に、大当たり抽選の結果表示を、可動体、なかでもクルーン等の遊技球を用いる役物と、図柄表示装置とで演出させることができれば一層遊技性に富むものとなる。そこで本発明者により、双方の機能を兼ね備えた演出を実現するようなパチンコ機が考えられている（未公開）。
【０００８】
しかし、一般的なパチンコ機に設けられるクルーン等の遊技球を用いる役物は、予め遊技球の転動時間がおおまかに想定されてはいるものの、特に転動時間の精度が要求されないことから、遊技球の動作開始から終了までの時間にはばらつきがあった。この性質から、図柄表示装置の表示等といった正確な時間配分が予め決められているような演出と同期させることは、非常に困難なものとなっている。
【０００９】
そこで本発明は、図柄表示装置の表示等といった消費時間が一定の演出と、遊技球を用いた機械的な役物の動作等といった消費時間が不定な演出とを同期させるように構成し、もって上述した課題を解決した遊技機を提供することを目的とするものである。
【課題を解決するための手段】
【００１０】
請求項１に係る本発明は（例えば図１ないし図６参照）、始動口（３１）と、該始動口（３１）への入球を契機として特別遊技状態に移行するか否かに係る大当たり情報を決定する情報決定手段（６３）と、該情報決定手段（６３）により決定された大当たり情報に基づく結果を演出動作する結果演出手段（３２）と、を備え、前記始動口（３１）が配置された遊技領域（３ａ）に遊技球（Ｂａ）を打ち出して遊技してなる遊技機（１）において、
前記始動口（３１）に入球した遊技球（Ｂａ）を役物内部に取り込む入球役物（２３）と、
前記入球役物（２３）内に配置され、該入球役物（２３）に取り込まれた遊技球（Ｂａ）を用いて前記情報決定手段（６３）により決定された大当たり情報に基づく結果を機械的に演出動作する演出役物（４３）と、
前記演出役物（４３）の演出動作を制御する演出制御手段（７１）と、を備え、
前記演出制御手段（７１）は、前記大当たり情報に基づく契機にて、前記演出役物（４３）の演出動作の開始及び終了を前記結果演出手段（３２）の演出動作の開始及び終了に整合してなる、
ことを特徴とする遊技機（１）にある。
【００１１】
請求項２に係る本発明は（例えば図１ないし図６参照）、前記結果演出手段が、前記大当たり情報に基づく結果を図柄の変動パターンで演出表示する図柄表示部（３２）であり、
前記演出制御手段（７１）が、前記図柄表示部（３２）における演出表示の表示開始を契機として前記演出役物（４３）の演出動作を開始し、該演出表示の表示終了を契機として該演出役物（４３）の演出動作を終了する、
請求項１に記載の遊技機（１）にある。
【００１２】
請求項３に係る本発明は（例えば図１ないし図３参照）、前記大当たり情報が、前記演出役物（４３）を演出動作させる時期情報を含み、
前記情報決定手段（６３）が、前記結果演出手段（３２）における演出動作の態様が異なる複数種類の大当たり情報を決定し得るとともに、前記時期情報を該複数種類の大当たり情報に応じてそれぞれに決定してなる、
請求項１に記載の遊技機（１）にある。
【００１３】
請求項４に係る本発明は（例えば図１ないし図３参照）、前記演出役物（４３）が、遊技球（Ｂａ）を導入する貫通孔（４５ａ，４５ｂ）を有した円形クルーン部材（４３）である、
請求項１ないし３に記載の遊技機（１）にある。
【００１４】
請求項５に係る本発明は（例えば図１ないし図３（ａ）参照）、前記演出制御手段（７１）が、前記演出役物（４３）を覆い隠すカバー部材（４１）を有し、該演出役物（４３）を該カバー部材（４１）で覆い隠すことで該演出役物（４３）の演出動作を終了してなる、
請求項１ないし４に記載の遊技機（１）にある。
【００１５】
請求項６に係る本発明は（例えば図３（ｂ）参照）、前記演出制御手段（７１）が、前記円形クルーン部材（４３）上の遊技球を前記貫通孔（４５ａ，４５ｂ）に磁力で導く磁気部材（７７）を有し、該磁気部材（７７）により該貫通孔（４５ａ，４５ｂ）に遊技球（Ｂａ）を強制的に導入することで該円形クルーン部材（４３）の演出動作を終了してなる、
請求項４に記載の遊技機（１）にある。
【００１６】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１７】
請求項１に係る本発明によると、遊技機が、始動口に入球した遊技球を役物内部に取り込む入球役物と、入球役物に取り込まれた遊技球を用いて情報決定手段により決定された大当たり情報に基づく結果を機械的に演出動作する演出役物と、演出役物の演出動作を制御する演出制御手段とを備える。そして、演出制御手段が、大当たり情報に基づく契機にて、演出役物の演出動作の開始及び終了を結果演出手段の演出動作の開始及び終了に整合してなる。これにより、特別遊技状態への移行に係る大当たり情報に基づく結果の表示過程を、結果演出手段（例えば図柄表示装置）と演出役物とによって演出することができるようになり、従来にない新奇な遊技性を遊技者に提供することができる。また、演出役物は、機械的な演出動作をするため、その開始から終了までに費やす消費時間がその時々で不定（つまりばらついた状態）となるが、演出役物の演出動作の開始及び終了と結果演出手段の演出動作の開始及び終了とが整合されるので、両者が同期した状態で終了し、遊技進行の円滑さが保たれるものとなる。また、演出役物の演出動作が、結果演出手段の演出動作と同期して急速に終了するので、遊技者は、かつてない驚きと意外性をもって該演出動作を楽しむことができる。
【００１８】
請求項２に係る本発明によると、結果演出手段が、大当たり情報に基づく結果を図柄の変動パターンで演出表示する図柄表示部であり、演出制御手段が、図柄表示部における演出表示の表示開始を契機として演出役物の演出動作を開始し、該演出表示の表示終了を契機として該演出役物の演出動作を終了するので、演出役物の演出動作が、図柄表示部の表示と同期して急速に終了するので、遊技者は、かつてない驚きと意外性をもって該演出動作を楽しむことができ、且つ遊技機における遊技進行の円滑さも保たれるものとなる。
【００１９】
請求項３に係る本発明によると、大当たり情報が、演出役物を演出動作させる時期情報を含み、情報決定手段が、結果演出手段における演出動作の態様が異なる複数種類の大当たり情報を決定し得るとともに、上記時期情報を該複数種類の大当たり情報に応じてそれぞれに決定してなる。これにより、結果演出手段及び演出役物の演出動作を複数種類決定できるので、遊技機における興趣性や遊技性の向上を図ることができる。また、複数種類の大当たり情報のそれぞれに時期情報を含めることができるので、結果演出手段による複数種類の演出動作の開始・終了に、演出役物の演出動作を柔軟に整合させることができる。
【００２０】
請求項４に係る本発明によると、演出役物が、遊技球を導入する貫通孔を有した円形クルーン部材であるので、円形クルーン部材のような、遊技球の入球（演出動作の開始）から排出（演出動作の終了）までに費やされる消費時間がその時々で不定となる演出役物を用いた場合にあっても、その演出動作と結果演出手段（例えば図柄表示部）の演出動作とを同期して終了させることができる。従って、円形クルーン部材と結果演出手段とによる、従来にない新奇な演出を遊技者に提供することができる。
【００２１】
請求項５に係る本発明によると、演出制御手段が、演出役物を覆い隠すカバー部材を有し、該演出役物を該カバー部材で覆い隠すことで該演出役物の演出動作を終了してなる。これにより、演出動作されていた演出役物がカバー部材によって一瞬にして覆い隠されるので、遊技者に対し、今まで視認していた演出役物が目の前から消失する驚きや意外性等を提供しつつも、テンポの良い遊技性を提供することができる。
【００２２】
請求項６に係る本発明によると、演出制御手段が、円形クルーン部材上の遊技球を貫通孔に磁力で導く磁気部材を有し、該磁気部材により該貫通孔に遊技球を強制的に導入することで該円形クルーン部材の演出動作を終了してなる。これにより、円形クルーン部材上を転動していた遊技球が一瞬にして貫通孔に導入されるので、遊技者に対し、今まで視認していた遊技球が目の前から急に消失するような意表を衝いた演出を提供しつつも、テンポの良い遊技性を提供することができる。
【発明を実施するための最良の形態】
【００２３】
以下、本発明に係る遊技機の実施形態として、遊技場等に設置されるパチンコ機を図面に沿って説明する。なお、図１は本発明の実施形態におけるパチンコ機の外部構造を示す正面図、図２及び図３は本実施形態におけるセンター役物２３を拡大して示す正面図であり、図２（ａ）は大当たり抽選が開始されて遊技球が流下する状態を示し、図２（ｂ）は遊技球が箱形造形物４０内の皿部材上を転動した状態を示し、図３（ａ）は箱形造形物４０の蓋部材４１が閉じた状態を示し、図３（ｂ）は他のセンター役物の例を示している。
【００２４】
本実施の形態では、本発明に係る遊技機を所謂第１種のパチンコ機として述べるが、本発明はこれに限らず、所謂１種１種パチンコ機や所謂１種２種パチンコ機など、１種の機能を有する他のパチンコ機にも適用可能であることは勿論である。
【００２５】
本パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生（特別遊技状態への移行確定）した状態で開放するアタッカー５に入球した遊技球に対応する数の遊技球を払い出すように構成される。上記確率変動当たり（「確変当たり」とも言う）とは、抽選の結果、確変モードの大当たりに当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２６】
本パチンコ機１は、開口を有する枠体状の筐体６と、この筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上方左右及び下方左右にはスピーカー（図示せず）を有する放音装置１２がそれぞれ配設されている。また、ガラス枠１０における右側部には、前扉７を筐体６側に施錠し解放するための施錠装置１３が配設されている。なお、筐体６及び前扉７等から遊技機本体が構成されている。
【００２７】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００２８】
皿ユニット１６の右部には、発射装置を操作して遊技球を遊技領域３ａに向けて打ち出すための発射ハンドル２が配設されている。更に、皿ユニット１６の左下方には灰皿２１、及び遊技者参加ボタン（所謂チャンスボタン）２２が配設されている。遊技領域３ａの左端には、発射ハンドル２の操作で発射された遊技球Ｂａを遊技領域３ａに導くガイドレール１４が配置されている。
【００２９】
遊技領域３ａの中央にはセンター役物（入球役物）２３が配設されており、該センター役物２３の左右には、遊技球を流下させる流路がそれぞれ設けられている。遊技領域３ａの左流路には、風車３０、普通図柄抽選の契機となる入球が行われる普通図柄作動ゲート（スルーゲート）２７、風車３０、一般入賞口２５ａ，２６ａが上から順に設けられている。普通図柄抽選では、始動チャッカー（始動口）３１を開閉動作させるか否かの抽選が行われる。
【００３０】
一方、遊技領域３ａの右流路には、風車３０，３０、一般入賞口２５ｂ，２６ｂが上から順に設けられている。一般入賞口２６ａと一般入賞口２６ｂとの間にはアタッカー５が配置されており、アタッカー５の下方には、遊技領域３ａに打ち出されて何れの入賞口にも入賞せずに流下した遊技球を遊技盤３の裏側に排出するアウト口２９が設けられている。アタッカー５は、大当たり発生時に開放され、遊技領域３ａに打ち出されて転動落下する遊技球を入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、必要に応じて適宜設定され得るものである。
【００３１】
また、不図示ではあるが、遊技領域３ａにおける普通図柄作動ゲート２７、一般入賞口２５ａ，２５ｂ，２６ａ，２６ｂ等の周囲には、遊技領域３ａに打ち出されて流下する遊技球を適宜散らし、或いは入賞、入球に導くようにするための多数の障害釘が打ち込まれている。
【００３２】
センター役物２３は、図１ないし図３に示すように、チューリップ状の開閉体３１ａを有する始動チャッカー３１を最上部に備えており、この始動チャッカー３１に入球した遊技球をセンター役物２３内部に取り込むように構成されている。始動チャッカー３１は、大当たり抽選実行の契機となり得る入賞が行われるものであり、始動チャッカー開閉ソレノイド７３（図５参照）によって開放位置と閉止位置とに開閉動作するように作動させられる。また、始動チャッカー３１の直上方には、所謂命釘や、他の障害釘が打ち込まれている。
【００３３】
センター役物２３内には、始動チャッカー３１の下方に、大当たり抽選結果を表示する図柄表示装置（結果演出手段、図柄表示部）３２と、機械的な演出動作を行うクルーン部（演出役物、円形クルーン部材）４３を内包した箱形造形物４０とがこの順に配設されている。箱形造形物４０は、蓋部材（カバー部材）４１と箱部材４２とを有しており、この箱部材４２の中には、クルーン部４３が設けられている。蓋部材４１と箱部材４２とは、図１の紙面奥側でヒンジにより開放又は閉塞状態に切り替え自在に支持されており、演出制御手段７１による制御時に、開閉ソレノイド７６（図５参照）の作動で上記状態が切り替えられる。
【００３４】
始動チャッカー３１の本体部３１ｂは、クルーン部４３と連通路３８を介して連通しているとともに、始動チャッカー３１に入賞して連通路３８を介して取り込まれた遊技球を貯留する貯留部になっている。本体部３１ｂは、貯留した遊技球を、不図示のソレノイドによって必要時に開放されて放出する放出口３１ｃを有している。始動チャッカー３１に入賞した遊技球は、先に保留された遊技球がある場合には、この本体部３１ｂの内部に保留球として貯留され、大当たり抽選の結果表示を行う際に順次放出口３１ｃから放出される。また、本実施の形態では、後述する保留手段６７により、保留球として許容される数は４個となっている。従って、遊技球が、４個の保留球数を超えて始動チャッカー３１から入賞した際には、保留球数を超えた分の遊技球は、賞球が払い出されるものの、本体部３１ｂには貯留されずに遊技盤３の裏側へ排出される。
【００３５】
クルーン部４３は、その中央底部にクルーン４５を有し、その外周には該クルーン４５を取り巻くようなすり鉢状の周路４３ａが形成されている。クルーン４５は、本体部３１ｂから放出された遊技球を入球させるように周縁部に並べて形成されたＶ入球口（貫通孔）４５ａと３つの入球口（貫通孔）４５ｂとを有している。ただし、該クルーン部４３は、遊技者にその演出動作を見せるためだけに配設されたものであるため、Ｖ入球口４５ａ及び入球口４５ｂの内部には、特にセンサ等は配設されてはおらず、遊技球がいずれの入球口に入った場合にも遊技盤３の裏側へと排出される。
【００３６】
ついで、本パチンコ機１の背面構造について図４を参照して説明する。同図は、本パチンコ機１の背面構造を示す背面図である。すなわち、図４に示すように、パチンコ機１の前扉背面における上部左方には、賞球タンク５１が取り付けられており、この賞球タンク５１の下方に、副制御基板５２、主制御基板５３、及び払出し制御基板５４がこの順に配設されている。また、前扉背面における上部右方には、外部端子板５５が取り付けられており、この外部端子板５５の下方に、整列待機通路５６、賞球装置５７、賞球排出通路５８、電源ユニット５９、及び発射装置（図示せず）用の発射制御基板７８がこの順に配設されている。パチンコ機１の前扉背面における左側部には、施錠装置１３が配設されている。
【００３７】
次に、本実施形態におけるパチンコ機１の制御系を図５に沿って説明する。なお、同図は本パチンコ機の制御系を示すブロック図である。
【００３８】
すなわち、本制御系は、遊技制御装置６０と、該遊技制御装置６０に電気的に接続された、始動チャッカー開閉ソレノイド７３、アタッカー開閉ソレノイド７４、放音装置１２、演出用照明装置８，１１、図柄表示装置３２、及び開閉ソレノイド７６と、を備えている。なお、電磁石７７については他の例にて後述する。
【００３９】
遊技制御装置６０は、図４に示した主制御基板５３や副制御基板５２等から構成されている。主制御基板５３は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板５２は、主に画像表示、効果音等の演出、効果光等の表示制御を行うように構成されている。
【００４０】
遊技制御装置６０は、入賞判定手段６１、入賞信号出力手段６２、抽選手段（情報決定手段）６３、普通図柄抽選手段６４、遊技制御手段６６、保留手段６７、作動制御手段６８、作動判定手段６９、作動決定手段７０、演出制御手段７１、及び表示制御手段７２を備えている。
【００４１】
入賞判定手段６１は、発射ハンドル２の操作で作動する発射装置（図示せず）によって遊技領域３ａに打ち出された遊技球が始動チャッカー３１、一般入賞口２５ａ，２５ｂ，２６ａ，２６ｂ、アタッカー５等の何れかに入賞したとき、当該入賞があった旨を判定する。
【００４２】
入賞信号出力手段６２は、入賞判定手段６１によって入賞が判定されたとき、対応する始動チャッカー３１、一般入賞口２５ａ，２５ｂ，２６ａ，２６ｂ、アタッカー５等に入賞した旨の入賞信号を出力する。
【００４３】
抽選手段６３は、入賞信号出力手段６２から始動チャッカー３１に対応する入賞信号の入力時、最大保留球数（例えば４個）未満での入賞を契機として、次なる大当たり（特別遊技状態）を当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選（特別遊技状態に移行するか否かの抽選）を実行する。
【００４４】
そして抽選手段６３は、大当たり抽選で確変当たりに当選した場合、不図示の演出用メモリに格納された演出乱数値に基づく抽選で、変動の結果、確変当たりに対応する「７７７」等の図柄が図柄表示装置３２で最終的に揃う旨の変動パターンを決定し、その旨の変動パターン信号を出力する。また、抽選手段６３は、大当たり抽選で通常当たりが当選した場合に、演出乱数値に基づく抽選で、変動の結果、通常当たりに対応する「６６６」等の図柄が最終的に揃う旨の変動パターンを決定し、その旨の変動パターン信号を出力する。更に、抽選手段６３は、大当たり抽選で外れた場合に、演出乱数値に基づく抽選で、変動の結果、外れに対応する「１２３」等の図柄が最終的に揃う旨の変動パターンを決定し、その旨の変動パターン信号を出力する。
【００４５】
普通図柄抽選手段６４は、始動チャッカー３１を開閉動作させるための普通図柄抽選を、普通図柄作動ゲート２７への遊技球通過を契機として行う。
【００４６】
遊技制御手段６６は、放音装置１２、演出用照明装置８，１１に放音、発光の演出をさせる契機となる指令を演出制御手段７１に送る。また、遊技制御手段６６は、図柄表示装置３２に表示すべき抽選手段６３による抽選結果に関する信号を表示制御手段７２に送る。
【００４７】
保留手段６７は、抽選手段６３から出力された変動パターン信号を入力することで、上記変動パターンを、始動チャッカー３１への入賞の都度に行われた抽選の結果となる保留球として順次記憶する。保留手段６７は、保留球数が４個になっているか否かを常時判定し、保留球数が４個表示されている間は、始動チャッカー３１への入賞に拘わらず大当たり抽選は行わない。なお、保留球として点灯表示される保留球数は上記「最大４個」に限らず、例えば３個以下、又は５個以上として適宜設定することも可能である。
【００４８】
作動制御手段６８は、作動決定手段７０の作動開始決定の旨の信号に基づき、始動チャッカー開閉ソレノイド７３に駆動信号を送って該ソレノイド７３を作動させ、始動チャッカー３１を開放又は閉塞動作させる。更に作動制御手段６８は、アタッカー開閉ソレノイド７４に駆動信号を送って該ソレノイド７４を作動させ、抽選手段６３での抽選による大当たり発生時にアタッカー５を開放して所定数入賞が終了する（又は所定時間が経過する）毎に閉塞する動作を所定回数（所定ラウンド）だけ繰り返すように制御する。
【００４９】
作動判定手段６９は、始動チャッカー開閉ソレノイド７３及びアタッカー開閉ソレノイド７４を作動させるための条件を満たすか否かを判定する。つまり、始動チャッカー開閉ソレノイド７３にあって、始動チャッカー３１の開閉の「条件を満たす」時とは、普通図柄抽選手段６４において抽選手段６３の大当たり抽選とは別途行われる普通図柄抽選で当選した場合である。アタッカー開閉ソレノイド７４にあって、アタッカー５の開放の「条件を満たす」時とは、所謂リーチ（所謂スーパーリーチ、ノーマルリーチを含む）の状態から２つの同じ図柄が揃って大当たりが発生した場合であり、アタッカー５の閉塞の「条件を満たす」時とは、大当たり発生時の全てのラウンドにおける入賞を完了した場合である。
【００５０】
作動決定手段７０は、作動判定手段６９からの判定信号を受けて、始動チャッカー開閉ソレノイド７３、アタッカー開閉ソレノイド７４の作動開始をそれぞれに決定する。
【００５１】
演出制御手段７１は、遊技制御手段６６からの指令に応答して、放音装置１２を放音駆動し、演出用照明装置８，１１を発光駆動し、遊技者の聴覚や視覚に訴える演出を行う。また、演出制御手段７１は、表示制御手段７２から抽選手段６３による抽選結果の演出表示開始の時点で送信される信号に応じ、開閉ソレノイド７６を作動駆動することで箱形造形物４０の蓋部材４１を開放状態に切り替えるとともに、始動チャッカー３１の放出口３１ｃを開放駆動する。また、演出制御手段７１は、表示制御手段７２から上記抽選結果の演出表示終了の時点で送信される信号に応じ、開閉ソレノイド７６を作動駆動することで箱形造形物４０の蓋部材４１を閉塞状態に切り替える。
【００５２】
表示制御手段７２は、遊技制御手段６６からの信号に従って、図柄表示装置３２を駆動し、大当たり抽選結果を中心とした内容等の演出を、遊技者の視覚に訴えるように演出表示する。その際、表示制御手段７２は、抽選手段６３による抽選結果を、遊技制御手段６６からの信号に従って図柄表示装置３２に表示する。また、表示制御手段７２は、図柄表示装置３２での上記抽選結果の表示における開始及び終了の各時点で、演出制御手段７１にその旨を表す信号を送信する。
【００５３】
また、始動チャッカー開閉ソレノイド７３は、作動制御手段６８から送信された駆動信号に応答してプランジャ（図示せず）を進退動作させて、始動チャッカー３１を開閉動作させる。アタッカー開閉ソレノイド７４は、作動制御手段６８から送信された駆動信号に応答してプランジャ（図示せず）を進退動作させて、アタッカー５を開閉動作させる。
【００５４】
放音装置１２は、演出制御手段７１の制御に従ってスピーカー（図示せず）を駆動させ、演出に応じた効果音を発する。演出用照明装置８，１１は、演出制御手段７１の制御に従ってその内蔵する電飾ランプ（図示せず）を発光駆動（点灯、点滅）させ、演出に応じた照明を行う。図柄表示装置３２は、表示制御手段７２の制御に従って作動し、演出データや抽選手段６３での抽選結果に応じた演出表示を行う。
【００５５】
開閉ソレノイド７６は、演出制御手段７１から送信された駆動信号に応答してプランジャ（図示せず）を進退動作させ、箱形造形物４０の蓋部材４１を開放又は閉塞状態にする。
【００５６】
次に、本パチンコ機１による作用について、図６のフローチャートを併せて参照しつつ説明する。
【００５７】
すなわち、本パチンコ機１に対面して着座した遊技者が発射ハンドル２を握り、適宜の角度に回動操作すると（ステップＳ１）、発射装置の作動で遊技球が所定の時間間隔で遊技領域３ａに向けて連続的に発射される。すると、遊技領域３ａに打ち出されて流下する多数の遊技球は、始動チャッカー３１や一般入賞口２５ａ，２５ｂ，２６ａ，２６ｂに適時入賞し、或いは、これらに関与せずに転動落下して、遊技領域３ａ最下部のアウト口２９から遊技盤３の裏面側に排出される。
【００５８】
始動チャッカー３１や一般入賞口２５ａ，２５ｂ，２６ａ，２６ｂ等の何れかに入賞した場合には、入賞判定手段６１が当該入賞を判定し、かつ入賞信号出力手段６２が入賞信号を出力する（ステップＳ２）。この際、保留手段６７は、保留している変動パターンに係る信号を、遊技制御手段６６を介して表示制御手段７２に順次送信し、変動パターン信号の送信に応じて保留球数を１デクリメントする。また保留手段６７は、当該保留球の消費に応じて、抽選手段６３で行われる始動チャッカー３１への入賞に応じた大当たり抽選の結果を保留球として記憶し、保留球数を１インクリメントする。
【００５９】
ステップＳ３において、大当たり抽選で当選した場合、抽選手段６３が当たりフラグをオンすると、演出用メモリに格納された演出乱数値に基づく抽選で、大当たりの種別、つまり確変当たり又は通常当たりに対応する変動パターンが決定される。
【００６０】
これにより、ステップＳ４において、図柄表示装置３２に表示されるべき当たり図柄がセットされ、抽選手段６３は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、図柄表示装置３２に表示される外れ図柄がセットされ、抽選手段６３は、その旨の変動パターン信号を出力すると共に、図柄変動禁止フラグをオンし、図柄変動タイマをセットし、変動パターン信号の送信に応じて保留球数を１デクリメントする。
【００６１】
以上のようにして、遊技制御手段６６が、図柄表示装置３２に表示すべき演出内容に関する信号を、表示制御手段７２に送信することに基づき、表示制御手段７２は、図柄表示装置３２を適時駆動し、大当たり抽選結果に関する内容等を、遊技者の視覚に訴えるように演出表示することとなる（ステップＳ５）。
【００６２】
そして、図柄表示装置３２に表れた抽選結果が大当たり決定である場合、作動制御手段６８は、作動決定手段７０の作動開始決定の旨の信号に基づき、所定のタイミングでアタッカー開閉ソレノイド７４に駆動信号を送り、当該ソレノイド７４を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が球供給口１７から皿ユニット１６に払い出されることとなる（ステップＳ６）。
【００６３】
ところで、上記ステップＳ３において、例えば、抽選手段６３による抽選結果が「７７７」に大当たり決定された場合を例に、上記したステップＳ５で行われる具体的な処理を説明する。
【００６４】
遊技制御手段６６が、「７７７」の大当たり決定に係る信号を表示制御手段７２に送信すると、この信号に基づき、表示制御手段７２は、図柄表示装置３２にて該大当たり決定に係る表示を開始させる。このとき、表示制御手段７２は、図柄表示装置３２の表示を開始させると同時に、演出制御手段７１に対してこの表示開始に係る信号（表示開始信号）を送信する。演出制御手段７１はこの表示開始信号を受信すると、開閉ソレノイド７６を作動駆動することで、箱形造形物４０の蓋部材４１が開放状態となるように切り替え制御する（図２（ａ）の状態）。そして、演出制御手段７１は、蓋部材４１を開放状態にした後、始動チャッカー３１の放出口３１ｃを開放（図２（ａ）の破線に示した放出口３１ｃの状態）し、本体部３１ｂに貯留している遊技球（複数保留している場合にはそのうちの１個）を連通路３８に放出する。
【００６５】
連通路３８に放出された遊技球は、図２（ａ）に示すように連通路３８を流下し、クルーン部４３の周路４３ａに導入されると、図２（ｂ）の矢印Ａに示すように周路４３ａを勢いよく周回する。この時点で、図柄表示装置３２は、元々の「１２３」の表示パターンが揃っていた状態（図２（ａ）参照）から変動表示を開始しており、図柄が縦列ごとに矢印Ｂの方向に次々と入れ替わるような抽選結果の経過を演出表示する（図２（ｂ）の状態）。
【００６６】
遊技球は、周路４３ａを周回する勢いが弱まると、徐々にすり鉢状の中央に位置するクルーン４５へと近づき、クルーン４５が有するＶ入球口４５ａ又は入球口４５ｂへと入球する。ここで、遊技球が周路４３ａに導入されてから、クルーン４５のＶ入球口４５ａや入球口４５ｂ等に入球するまでに要する時間（以下、この時間をクルーン演出時間という）は、例えば約３〜５秒となるように設計されている。また、図柄表示装置３２における、抽選結果の表示は、大当たりやハズレに拘らずその開始から終了までが４秒間（この時間を、以下表示演出時間という）になるものとしてある。
【００６７】
上記したことを前提に、クルーン演出時間が最小の３秒となった場合には、遊技球は、図柄表示装置３２の演出表示が終了するよりも速く、クルーン４５のＶ入球口４５ａや入球口４５ｂ等に入球することとなる。本例の場合、抽選結果が「７７７」の大当たりとなっていることから、遊技球は最終的にＶ入球口４５ａへと入球する。従って、周路４３ａに導入された遊技球は、導入開始から３秒後にＶ入球口４５ａへと入球し、その１秒後に図柄表示装置３２の演出表示が終了することとなる。これにより、遊技中の遊技者は、図柄表示装置３２における抽選結果の表示より先に、クルーン部４３による抽選結果の演出表示（機械的な演出動作）を視認することによって当該抽選が大当たりであることを認知する。このように、大当たり抽選の結果をクルーン部４３のような機械的な演出動作によって演出させるので、遊技者の注目を集めるとともに遊技者に対して新鮮な驚きを提供できるものとなる。
【００６８】
また、クルーン演出時間が４秒となった場合には、図柄表示装置３２における抽選結果の表示と、クルーン部４３における演出動作とが同時に終了することとなる。この場合、遊技者は、図柄表示装置３２における抽選結果の表示と、クルーン部４３における抽選結果の演出動作とを同時にその視界に収めることができるので、これまでにない新奇な演出表示を楽しむことができるようになる。
【００６９】
また、クルーン演出時間が５秒となった場合には、遊技球がクルーン４５のＶ入球口４５ａや入球口４５ｂ等に入球するよりも速く、図柄表示装置３２の演出表示が終了する。この場合、表示制御手段７２は、図柄表示装置３２に「７７７」の大当たり結果の図柄パターンを表示させて表示演出を終了させる（図３（ａ）参照）と同時に、演出制御手段７１に対し、開閉ソレノイド７６を作動駆動させることで箱形造形物４０の蓋部材４１を閉塞状態に切り替えさせる旨の信号を送る。演出制御手段７１は、上記信号が送られるとすぐに開閉ソレノイド７６を作動駆動し、蓋部材４１を閉塞状態へと切り替える。これにより、図柄表示装置３２における「７７７」の大当たり結果の表示と、箱形造形物４０の蓋部材４１が閉塞するタイミングとが、ほとんど同時に行われる。従って、図柄表示装置３２の結果表示と、クルーン部４３における機械的な演出動作とが一括して同時に終了することから、図柄表示装置３２における当該大当たり当選の次の演出表示へと円滑に移行することができるものとなる。
【００７０】
そして、図３（ａ）に示すように、蓋部材４１が箱部材４２上に被さることで強制的に閉塞状態となることから、クルーン部４３は、蓋部材４１によって覆い隠され、遊技者からはまったく視認できない状態となる。これにより、遊技者は、このような斬新な演出動作に意表を衝かれ、これまでにないインパクトのある遊技感覚を体験することとなる。
【００７１】
なお、抽選手段６３により大当たりが当選した状態にあって、クルーン部４３にて前述した演出動作をさせる場合には、遊技球が最終的にクルーン４５のＶ入球口４５ａへと入球するように動作させる。また、抽選手段６３による大当たり抽選に落選した状態にあって、クルーン部４３にて前述した演出動作をさせる場合には、遊技球は最終的にクルーン４５の入球口４５ｂへと入球するように動作させる。ここで、遊技球をＶ入球口４５ａへと入球させる場合には、当該演出動作中において他の入球口４５ｂを不図示の可動式のカバー部材によって閉塞状態とする。これにより、クルーン部４３に導入された遊技球は、Ｖ入球口４５ａのみにしか入球し得ない状況となり、必然的にＶ入球口４５ａへと入球する。また、遊技球を入球口４５ｂへと入球させる場合には、当該演出動作中においてＶ入球口４５ａを不図示の可動式のカバー部材によって閉塞状態とする。これにより、クルーン部４３に導入された遊技球は、入球口４５ｂのみにしか入球し得ない状況となり、必然的に入球口４５ｂへと入球することとなる。
【００７２】
このように、クルーン演出時間を表示演出時間に合致させるには、上述したように図柄表示装置３２の演出表示の終了を契機としてクルーン部４３を強制的に遊技者の眼前から隠し、視認できなくさせる方法がある。なお、これ以外に、図柄表示装置３２の演出表示の終了を契機として、遊技球をＶ入球口４５ａ又は入球口４５ｂに送り込むことで、クルーン部４３による演出動作を強制的に終わらせるなどしてもよく、その方法は特に限定されるものではない。
【００７３】
次いで、このクルーン部４３による演出動作を強制的に終わらせる方法の例を図３（ｂ）を参照して説明する。なお、パチンコ機１及びセンター役物２３の基本的な構成は、図１〜図３（ａ）、図４、図５と同一であるため説明を省略すると共に、同一符号のものは同一又は相当部分を示すものとする。
【００７４】
すなわち、本例におけるセンター役物２３内には、機械的な演出動作を行うクルーン部４３を内包するような箱形造形物８０が配設されている。箱形造形物８０は、クルーン部４３を支持する胴部８２と、胴部８２の上端四方を囲みクルーン部４３における周路４３ａから遊技球が外側に飛び出すのを防ぐための壁部材８３とを有している。なお、正面視手前側の壁部材８３は図示を省略している。そして、本例における特徴的な構成は、周路４３ａの下側、詳細にはＶ入球口４５ａ及び入球口４５ｂの各内側壁に電磁石（磁気部材）７７（図５参照）を配設している点にある。
【００７５】
ここで、図３（ｂ）に示すセンター役物２３にて、抽選手段６３により決定された大当たり抽選の結果が図柄表示装置３２に演出表示されると、始動チャッカー３１の本体部３１ｂからは１個の遊技球が連通路３８を介して周路４３ａへと導入される。該遊技球は、導入時の勢いにより周路４３ａの矢印Ｒ１に示すような軌道を周回する。
【００７６】
クルーン部４３におけるクルーン演出時間は約３〜５秒に設計されており、例えば上記した場合のクルーン演出時間が５秒を要するものとする。これに対し、図柄表示装置３２における表示演出時間は４秒間に設定されているため、クルーン部４３での演出動作は１秒間分だけ冗長なものとなる。従って、図柄表示装置３２の次の演出を円滑に表示させるためにも、クルーン部４３での演出動作を瞬時に終了させ、該演出動作と図柄表示装置３２の表示演出との終了時間の同期を取るようにする必要がある。
【００７７】
そこで、本例では、表示制御手段７２が、図柄表示装置３２における演出表示の終了を契機とし、演出制御手段７１に対して電磁石７７を通電制御させる旨の信号を送る。演出制御手段７１は、該信号に応じて電磁石７７を通電制御することで磁界を生じさせ、周路４３ａを周回している遊技球をＶ入球口４５ａ又は入球口４５ｂの方へと引き寄せる。これは、例えば、図３（ｂ）に示すように、磁界が生じていない状態では遊技球は矢印Ｒ１の軌道を周回するところ、Ｖ入球口４５ａにて磁界が生じたことによって矢印Ｒ２に示す方向に急激に引き寄せられるような状態となる。このように、電磁石７７を通電制御することにより、遊技球は、Ｖ入球口４５ａや入球口４５ｂ等のいずれかの内部へと入球され、クルーン部４３における演出動作が終了されることとなる。
【００７８】
なお、抽選手段６３により大当たりが当選した状態にあっては、Ｖ入球口４５ａの内側壁に設けられた電磁石７７が通電され、遊技球は最終的にＶ入球口４５ａへと入球するように動作される。また、抽選手段６３による大当たり抽選に落選した状態にあっては、入球口４５ｂの内側壁に設けられた電磁石７７が通電され、遊技球は最終的にいずれかの入球口４５ｂへと入球するように動作される。
【００７９】
ところで、本発明は、上記した実施の形態に限らず、以下のように実施させることもできる。
【００８０】
前述した実施の形態にあっては、クルーン部４３が、表示制御手段７２による図柄表示装置３２の大当たり決定に係る表示を契機にして演出動作されるとして説明した。しかし、図柄表示装置３２での大当たり決定に係る表示に費やされる時間を、予め遊技制御装置６０における不図示のＲＯＭ等の記憶装置に時間データとして記憶させておき、該時間データに基づいてクルーン部４３の演出動作の開始・終了を演出制御手段７１に制御させることもできる。
【００８１】
例えば、抽選手段６３の抽選結果の変動パターン「６６６」に対する時間データが、１０秒間として予め記憶されているとする。これは、図柄表示装置３２における変動パターン「６６６」の結果表示が、その開始から終了までに１０秒間費やされることを示している。
【００８２】
まず、始動チャッカー３１への入賞を契機として、抽選手段６３が「６６６」の大当たり決定をすると、抽選手段６３は、該「６６６」の時間データとして一義的に記憶されている上記１０秒間という時間値を取得する。
【００８３】
遊技制御手段６６は、上記大当たり決定に応じ、「６６６」の大当たり決定に係る信号を表示制御手段７２へと送信し、該表示制御手段７２は、図柄表示装置３２に該決定に係る表示を開始させる。このとき、演出制御手段７１は、上述した「６６６」に対する時間データを受信し、始動チャッカー３１の本体部３１ｂに貯留している遊技球を解放してクルーン部４３の演出動作を開始させる。
【００８４】
そして、図柄表示装置３２における変動パターン「６６６」の演出表示は、その開始から終了までが予め１０秒間に設定されていることから、表示制御手段７２は開始から１０秒後にその演出表示を終了する。また、演出制御手段７１は、受信した時間データに基づいて、クルーン部４３における演出動作の開始から１０秒が経過すると、クルーン部４３の演出動作を終了（蓋部材４１を閉塞状態に）させる。
【００８５】
これにより、図柄表示装置３２における「６６６」の大当たり結果の表示と、箱形造形物４０の蓋部材４１が閉塞するタイミングとが、ほとんど同時に行われることとなる。従って、図柄表示装置３２の結果表示と、クルーン部４３における機械的な演出動作とが一括して同時に終了することから、図柄表示装置３２における当該大当たり当選の次の演出表示へと円滑に移行することができるようになる。また、クルーン部４３の演出動作が、図柄表示装置３２の演出動作と同期した状態で急速に終了するので、遊技者は、かつてない驚きと意外性をもって該演出動作を楽しむことができるものとなる。
【００８６】
また、上述した時間データは、抽選手段６３の抽選結果の変動パターンごとに異なるように設定し得るものである。これにより、図柄表示装置３２及びクルーン部４３の演出動作を複数種類決定できるようになり、遊技機における興趣性や遊技性の向上を図ることができるようになる。また、複数種類にわたる図柄表示装置３２の演出動作に応じて、クルーン部４３の演出動作の動作時間を柔軟に整合させることができるようになる。
【００８７】
以上のように本パチンコ機１では、演出制御手段７１が、図柄表示装置３２での大当たり決定に係る表示開始を契機として、クルーン部４３に遊技球を導入して該クルーン部４３を演出動作させる。そして、上記大当たり決定に係る表示終了を契機として、クルーン部４３を蓋部材４１で覆い隠し、該クルーン部４３の演出動作を終了する（例えば、遊技者から視認できない状態にする）。これらにより、クルーン部４３における演出動作の開始及び終了は、図柄表示装置３２の演出動作の開始及び終了に整合されることとなる。従って、大当たり等の特別遊技状態への移行に係る抽選結果の表示過程を、図柄表示装置３２とクルーン部４３とによって演出することができるようになり、従来にない新奇な遊技性を遊技者に提供することができるようになる。また、クルーン部４３は、機械的に動作をすることにより、その演出動作の開始から終了までに費やす消費時間がその時々で不定なばらついた状態となるが、図柄表示装置３２が抽選結果を表示終了することを契機にその演出動作が終了されるので、図柄表示装置３２の表示と同期することとなり、遊技進行の円滑さが保たれるものとなる。また、クルーン部４３の演出動作が、図柄表示装置３２の表示と同期して急速に終了するので、遊技者は、かつてない驚きと意外性をもって該演出動作を楽しむことができるようになる。
【００８８】
また、クルーン部４３が、遊技球Ｂａを導入するＶ入球口４５ａ及び入球口４５ｂを有した円形クルーン部材であるので、一般的なクルーンのような、遊技球Ｂａの入球から排出までに費やされる消費時間がその時々で不定となる演出役物を用いた場合にあっても、その演出動作と図柄表示装置３２における抽選結果の表示との同期をとって終了させることができるものとなる。従って、クルーン部４３のような円形クルーン部材と図柄表示装置３２とによる、従来にない新奇な演出を遊技者に提供することができるようになる。
【００８９】
また、演出制御手段７１が、クルーン部４３を覆い隠す蓋部材４１を有し、該クルーン部４３を該蓋部材４１で覆い隠すことで演出動作を終了してなる。これにより、図柄表示装置３２において抽選結果の表示が終了したことを契機とし、演出動作中のクルーン部４３が蓋部材４１によって一瞬にして覆い隠されるので、遊技者に対し、今まで視認していたクルーン部４３が目の前から消失する驚きや意外性等を提供しつつも、テンポの良い遊技性を提供することができる。
【００９０】
また、演出制御手段７１が、周路４３ａ上の遊技球Ｂａを，Ｖ入球口４５ａや入球口４５ｂに向けて磁力で導く電磁石７７を有する。そして、図柄表示装置３２での抽選結果の表示終了を契機として、該電磁石７７によりＶ入球口４５ａや入球口４５ｂ等に遊技球Ｂａを強制的に導入し、クルーン部４３の演出動作を終了する。これにより、図柄表示装置３２での抽選結果の表示が終了したことを契機とし、クルーン部４３上を転動していた遊技球Ｂａが一瞬にしてＶ入球口４５ａ又は入球口４５ｂのいずれかに導入されるので、遊技者は今まで注目していた遊技球が目の前から急に消失することに意表を衝かれつつも、抽選結果を視認しながら遊技を継続することができる。
【００９１】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００９２】
【図１】本発明に係る実施の形態におけるパチンコ機の外部構造を示す正面図である。
【図２】本実施形態におけるセンター役物を拡大して示す正面図であり、（ａ）は大当たり抽選が開始されて遊技球が流下する状態を示し、（ｂ）は遊技球が箱形造形物内の皿部材上を転動した状態を示すものである。
【図３】本実施形態におけるセンター役物を拡大して示す正面図であり、（ａ）は箱形造形物の蓋部材が閉じた状態を示し、（ｂ）は他のセンター役物の例を示すものである。
【図４】本実施形態のパチンコ機の背面構造を示す背面図である。
【図５】本パチンコ機の制御系を示すブロック図である。
【図６】本パチンコ機による作用を説明するためのフローチャートである。
【符号の説明】
【００９３】
１    遊技機（パチンコ機）
３ａ    遊技領域
２３    入球役物（センター役物）
３１    始動口（始動チャッカー）
３２    結果演出手段、図柄表示部（図柄表示装置）
４１    カバー部材（蓋部材）
４３    演出役物、円形クルーン部材（クルーン部）
４５ａ  貫通孔（Ｖ入球口）
４５ｂ  貫通孔（入球口）
６３    情報決定手段（抽選手段）
７１    演出制御手段
７７    磁気部材（電磁石）
Ｂａ    遊技球
【図１】
2008188128.tif 000003
【図２】
2008188128.tif 000004
【図３】
2008188128.tif 000005
【図４】
2008188128.tif 000006
【図５】
2008188128.tif 000007
【図６】
2008188128.tif 000008